(57)【要約】【課題】遮蔽材が窓枠に近接した状態で吊り下がった窓遮蔽装置において、遮蔽材の昇降操作を容易に行い得る窓遮蔽装置を提供する。【解決手段】室内と室外との間の光の通過を制限するために窓枠２に近接した状態で吊り下げた遮蔽材４と、前記窓枠２の上部側に配設した昇降機構５と、前記昇降機構５から前記遮蔽部材４の室外側の面に吊り下げて配設されると共に遮蔽部材４の下部に下端が取り付けられた昇降紐６と、前記昇降機構５から吊り下げて配設されると共に昇降機構５を介して前記昇降紐６の昇降を行う操作紐６ａとを備えた遮蔽装置において、前記操作紐６ａを、前記遮蔽材４よりも室内側に、又は前記遮蔽材４の幅外に垂下させた。【選択図】図１
2010000232.tif 000002
【特許請求の範囲】
【請求項１】
室内と室外との間の光の通過を制限するために窓枠の室内側の面に近接した状態で吊り下げた遮蔽材と、
前記窓枠の上部側に配設した昇降機構と、
前記昇降機構から前記遮蔽部材の室外側の面に吊り下げて配設されると共に遮蔽部材の下部に下端が取り付けられた昇降紐と、
前記昇降機構から吊り下げて配設されると共に昇降機構を介して前記昇降紐の昇降を行う操作紐とを備えた遮蔽装置において、
前記操作紐を、前記遮蔽材よりも室内側、又は前記遮蔽材の幅外に垂下させたことを特徴とする窓遮蔽装置。
【請求項２】
前記昇降機構を前記遮蔽材を配設した平面を包含する遮蔽材配設平面よりも室内側に配設して、当該昇降機構における前記操作紐の吊下げ点を前記遮蔽材配設平面よりも室内側へ配設し、前記昇降紐を昇降紐用ガイドによって昇降機構から室外側へ案内して吊り下げ、当該昇降用ガイドにおける前記昇降紐の吊下げ点を前記遮蔽材配設平面よりも室外側に配設した請求項１に記載の窓遮蔽装置。
【請求項３】
前記昇降紐用ガイドを、回転可能に設けた単数又は複数のガイドローラで構成した請求項２に記載の窓遮蔽装置。
【請求項４】
前記昇降機構を前記遮蔽材を配設した平面を包含する遮蔽材配設平面よりも室外側の窓枠内に配設して、当該昇降機構における前記昇降紐の吊下げ点を前記遮蔽材配設平面よりも室外側に配設し、前記操作紐を操作紐用ガイドによって昇降機構から室内側へ案内して吊り下げ、当該操作紐用ガイドにおける前記操作紐の吊下げ点を前記遮蔽材配設平面よりも室内側に配設した請求項１に記載の窓遮蔽装置。
【発明の詳細な説明】
【技術分野】
【０００１】
本発明は、遮蔽材を窓枠に近接させて吊り下げた窓遮蔽装置に関する。
【背景技術】
【０００２】
窓遮蔽装置としては、窓の室内側に配設されるカーテンなどが周知である。斯かる窓枠に取り付けられるカーテンの一形態として、ローマンシェードと呼ばれるものがある。このローマンシェードは、窓からの入射光を遮るために吊り下げられた遮蔽材を、昇降機構によって適宜たくし上げるように構成したものである。
【０００３】
例えば、下記の特許文献１に、遮光性や室内の保温性等を向上させたローマンシェード式の窓遮蔽装置が提案されている。図１５及び図１６に、前記特許文献１に記載された窓遮蔽装置の具体的構成を示す。図１５は、前記窓遮蔽装置の断面側面図、図１６はその背面図である。
【０００４】
図１５に示すように、窓枠１００の上方の室内壁面に止め具を介してパネル材２００が取り付けられている。パネル材２００の下部に、可撓性を有するシート状の遮蔽材３００を取り付け、窓枠１００の室内側に吊り下げている。特許文献１の窓遮蔽装置は、遮蔽材３００を窓枠１００に対して密着ないし近接した状態で吊り下げているため、遮蔽材が窓枠から室内側に離間したものに比べ、遮光性や室内の保温性に優れている。また、室内が広くなり見栄えも良くなるといったメリットもある。
【０００５】
以下、特許文献１に示す窓遮蔽装置の構成について詳しく説明する。
図１６に示すように、遮蔽材３００の背面には、複数本の昇降紐４００が所定間隔を隔てて配設され、各昇降紐４００の下端部は遮蔽材３００の下部に取り付けられている。また、遮蔽材３００の背面には、各昇降紐４００を上下方向へ案内するガイド環列５００を複数列設けてある。
【０００６】
一方、パネル材２００の背面には、昇降機構６００及び複数のガイド機構７００が配設されている。ガイド機構７００は、ガイド環列５００によって遮蔽材３００の下部から上方へ案内した昇降紐４００を昇降機構６００側に案内するものである。ガイド機構７００としては、図の如く、昇降紐４００を巻掛けるガイドローラ（滑車）や、昇降紐４００を通す環状の部材（図示省略）などが挙げられる。昇降機構６００は、昇降紐４００を引き上げた状態で保持すると共にその保持を解除することが可能なストッパである。
【０００７】
昇降機構６００から吊り下げられた各昇降紐４００は、結束具８００によって束ねられている。この結束具８００によって束ねた各昇降紐４００を把持し牽引したり戻したりすることによって、遮蔽材３００を昇降させることができる。すなわち、昇降紐４００の結束具８００によって束ねられた部分９００は、遮蔽材３００を昇降させる際に昇降紐４００を操作する操作紐として機能する。
【特許文献１】特開２００５−１６８９８９号公報
【発明の開示】
【発明が解決しようとする課題】
【０００８】
上記特許文献１の窓遮蔽装置は、昇降紐の結束具によって束ねられた部分（以下、操作紐という）は、遮蔽材の背面側に配設されている。このため、遮蔽材をたくし上げる際は、遮蔽材の背面に手をまわして操作紐を把持しなければならない。しかも、遮蔽材は窓枠に密着ないし近接した状態で吊り下がっているため、操作紐を把持するには、一旦遮蔽材を窓枠から離して隙間をあけてから、遮蔽材の背面に手をまわさなければならず、面倒であった。
【０００９】
本発明は、斯かる事情に鑑み、遮蔽材が窓枠に密着ないし近接した状態で吊り下がった窓遮蔽装置において、遮蔽材の昇降操作を容易に行い得る窓遮蔽装置を提供する。
【課題を解決するための手段】
【００１０】
請求項１の発明は、室内と室外との間の光の通過を制限するために窓枠の室内側の面に近接した状態で吊り下げた遮蔽材と、前記窓枠の上部側に配設した昇降機構と、前記昇降機構から前記遮蔽部材の室外側の面に吊り下げて配設されると共に遮蔽部材の下部に下端が取り付けられた昇降紐と、前記昇降機構から吊り下げて配設されると共に昇降機構を介して前記昇降紐の昇降を行う操作紐とを備えた遮蔽装置において、前記操作紐を、前記遮蔽材よりも室内側、又は前記遮蔽材の幅外に垂下させたものである。
【００１１】
上記のように操作紐を配設したことにより、操作紐を容易に把持することができ、遮蔽材の昇降操作を行いやすくなる。
また、操作紐を遮蔽材の幅外に垂下させた場合は、遮蔽材を昇降する際に撓んだ遮蔽材が操作紐に干渉するのを回避することができる。これによって、遮蔽材の昇降操作をより円滑に行い得る。
【００１２】
請求項２の発明は、請求項１に記載の窓遮蔽装置において、前記昇降機構を前記遮蔽材を配設した平面を包含する遮蔽材配設平面よりも室内側に配設して、当該昇降機構における前記操作紐の吊下げ点を前記遮蔽材配設平面よりも室内側へ配設し、前記昇降紐を昇降紐用ガイドによって昇降機構から室外側へ案内して吊り下げ、当該昇降用ガイドにおける前記昇降紐の吊下げ点を前記遮蔽材配設平面よりも室外側に配設したものである。
【００１３】
昇降機構を遮蔽材配設平面よりも室内側に配設し、その昇降機構における操作紐の吊下げ点を遮蔽材配設平面より室内側に配設している。これにより、操作紐を遮蔽材配設平面より室内側に吊り下げることが可能である。一方、昇降紐は、遮蔽材の室内側の面に吊り下げると見栄えが悪くなるので、遮蔽材の背面（室外側の面）に配設する必要がある。そのため、昇降紐用ガイドを介して昇降紐を遮蔽材４の背面側へ案内している。また、昇降紐用ガイドにおける昇降紐の吊下げ点を遮蔽材配設平面よりも室外側に配設したことにより、昇降紐に室外方向の力を作用させ、遮蔽材を窓枠に確実に密着させることが可能である。これにより、遮光性や室内の保温性等の向上を図り得る。
【００１４】
請求項３の発明は、請求項２に記載の窓遮蔽装置において、前記昇降紐用ガイドを、回転可能に設けた単数又は複数のガイドローラで構成したものである。
【００１５】
昇降紐の昇降移動に伴ってガイドローラが回転することにより、昇降紐を円滑に案内することができる。これにより、遮蔽材の昇降操作を楽に行うことができる。
【００１６】
請求項４の発明は、請求項１に記載の窓遮蔽装置において、前記昇降機構を前記遮蔽材を配設した平面を包含する遮蔽材配設平面よりも室外側の窓枠内に配設して、当該昇降機構における前記昇降紐の吊下げ点を前記遮蔽材配設平面よりも室外側に配設し、前記操作紐を操作紐用ガイドによって昇降機構から室内側へ案内して吊り下げ、当該操作紐用ガイドにおける前記操作紐の吊下げ点を前記遮蔽材配設平面よりも室内側に配設したものである。
【００１７】
操作紐を操作紐用ガイドによって案内して遮蔽材配設平面よりも室内側に配設しているので、使用者は操作紐を容易に把持して遮蔽材の昇降操作をすることが可能である。一方、昇降機構における昇降紐の吊下げ点を遮蔽材配設平面より室外側へ配設したことにより、昇降紐に室外方向の力を作用させ、遮蔽材を窓枠に確実に密着させることが可能となる。また、昇降機構を遮蔽材配設平面よりも室外側の窓枠内に配設しているため、窓枠から室内側に突出する部材が少なくなり、室内が広くなると共に見栄えが良くなる。
【発明の効果】
【００１８】
本発明によれば、操作紐を、遮蔽材よりも室内側、又は遮蔽材の幅外に垂下させているので、操作紐を容易に把持することができ、遮蔽材の昇降操作を行いやすくなる。
【発明を実施するための最良の形態】
【００１９】
以下、図１〜図５を参照して本発明の第１実施形態に係る窓遮蔽装置を説明する。
図１は第１実施形態に係る窓遮蔽装置１Ａの断面側面図、図２と図３はそれぞれ前記窓遮蔽装置１Ａの正面図及び背面図である。また、図４は前記窓遮蔽装置１Ａの上部を示す側面断面図、図５はその要部を拡大した斜視図である。
【００２０】
図１に示すように、窓遮蔽装置１Ａは、窓枠２の上部に取り付けた装飾部材３と、装飾部材３付設された遮蔽材４及び昇降機構５と、遮蔽材４を昇降させるための昇降紐６等から構成される。また、図１において、符号７は窓枠２に取り付けられたガラス戸であり、同図の右側が室外側、左側が室内側となっている。
【００２１】
装飾部材３は、窓枠２の横幅より幾分か長く形成された断面コ字型の長手状の部材である（図２参照）。装飾部材３は、その上縁に付設した取付用金具（図示省略）を介して、窓枠２の上部に取り付けられている。装飾部材３の室内側の面には、木目等の装飾模様を施した意匠面３ａが形成されている。装飾部材３の材質としては、合成樹脂、木材、竹、皮革、アルミニウム、又はそれ以外の金属等を適用可能である。なお、前記意匠面３ａは無模様であってもよい。
【００２２】
遮蔽材４は、カーテン生地やスクリーン等の可撓性を有するシート状の部材から構成される。遮蔽材４は、室内と室外の光の通過を制限するものであればよい。ここでいう「光の通過を制限する」とは、完全に遮光する場合、又は半透明な部材等によって光の一部を遮光する場合の両方が含まれる。遮蔽材４は装飾部材３の下縁から吊り下げられ、遮蔽材４の下端部にはウェイトバー９が取り付けてある。遮蔽材４は、装飾部材３から吊り下げられた状態で窓枠２の室内側の面に密着ないし近接しており、遮光性や室内の保温性等の向上を図り得る構成となっている。また、遮蔽材４の上縁と装飾部材３の下縁には、それぞれ互いに接着／分離可能な面状ファスナ等の固着具８（図３参照）が付設されており、この固着具８によって遮蔽材４は装飾部材３に対して着脱可能に取り付けられる。
【００２３】
遮蔽材４の室外側の面（以下、背面という）には、複数本の昇降紐６が互いに所定間隔を隔てて配設されている。各昇降紐６の下端部は、遮蔽材４の下部に取り付けられている。また、遮蔽材４の背面には、ガイド環列１０が複数列設けてある。各ガイド環列１０に前記昇降紐６を挿通することによって、昇降紐６を上下方向に案内している。
【００２４】
装飾部材３の室外側に開口した凹部３ａには、前記昇降機構５と複数の昇降紐用ガイド１１が配設されている。つまり、見栄えを良くするために、装飾部材３によって昇降機構５と複数の昇降紐用ガイド１１を覆って室内側から見えないようにしている。
【００２５】
図３に示すように、昇降機構５は装飾部材３の一端側（図の左端側）に配設され、各昇降紐用ガイド１１は各ガイド環列１０の上方に配設されている。ガイド環列１０を通って上方に案内された昇降紐６は、昇降紐用ガイド１１に掛け渡され、昇降機構５へと案内される。昇降機構５に案内された各昇降紐６は、昇降機構５から装飾部材３に設けた挿通孔１９（図４参照）を通って吊り下げられている。そして、昇降機構５から吊り下げた各昇降紐６は、結束具１２によって束ねてある。
【００２６】
この結束具１２によって束ねた各昇降紐６を把持して牽引することにより、昇降紐６が引き上げられ、遮蔽材４の下端をたくし上げることができる。また、前記昇降機構５はストッパであり、昇降紐６を引き上げられた状態で保持すると共にその保持を解除することができる。上記のように、前記各昇降紐６の結束具１２によって束ねた部分は、昇降紐６を昇降させる際に、使用者が把持して牽引操作する操作紐として機能する。以下、この結束具１２によって各昇降紐６を束ねた部分を、操作紐６ａと呼ぶことにする。
【００２７】
図５は、前記昇降紐用ガイド１１を拡大した図である。図５に示すように、昇降紐用ガイド１１は、２つのガイドローラ１４，１５を有する。各ガイドローラ１４，１５は、それぞれ保持部材１６，１７によって回転可能に保持されている。また、各保持部材１６，１７は、取付部材１８を介して装飾部材３の凹部３ｂに固着してある。
【００２８】
２つのガイドローラ１４，１５のうち、凹部３ｂの底側に配設されたガイドローラ１５は、鉛直方向の軸線回りに回転可能に構成されている。一方、凹部３ｂの開口側に配設されたガイドローラ１４は、水平方向の軸線回りに回転可能に構成されている。そして、これらガイドローラ１４，１５に昇降紐６が掛け渡されることによって、昇降紐６は凹部３ｂの開口側のガイドローラ１４から吊り下げられ遮蔽材４の背面へ案内されている。
【００２９】
図４において、二点鎖線で示すのは、遮蔽材４を配設した平面を包含する遮蔽材配設平面Ｚである。前記装飾部材３の凹部３ｂの開口側（すなわち室外側）に、配設されたガイドローラ１４は、遮蔽材配設平面Ｚよりも室外側へ突出している。このため、室外側のガイドローラ１４における昇降紐６の吊下げ点Ｐは、遮蔽材配設平面Ｚよりも室外側に配設されている。
【００３０】
一方、昇降機構５を遮蔽材配設平面Ｚよりも室内側に配設して、昇降機構５における操作紐６ａの吊下げ点Ｑを、遮蔽材配設平面Ｚよりも室内側に配設している。これにより、操作紐６ａは昇降機構５から鉛直方向に吊り下げられた状態で、遮蔽材配設平面Ｚよりも室内側に配設される。
【００３１】
なお、前記昇降紐及び操作紐の「吊下げ点」は、昇降紐又は操作紐が、昇降紐用ガイドや昇降機構等の吊下げ用支持部材から吊り下げられる箇所であって、その吊下げ用支持部材から昇降紐又は操作紐が離れる直前の接触点をいう（以下、同様）。
【００３２】
また、昇降機構５の一部を遮蔽材配設平面Ｚの室内側に突出して配設し、その突出した部分に操作紐６ａの吊下げ点Ｑを配設してもよい。つまり、昇降機構５の全体が、完全に遮蔽材配設平面Ｚよりも室内側に存在しなくてもよい。
【００３３】
また、図２に示すように、操作紐６ａは、遮蔽材４の幅外に垂下されている。つまり、室内側から見た状態において、操作紐６ａを遮蔽材４と重ならない位置に配設している。
【００３４】
次に、図６及び図７に本発明の第２実施形態に係る窓遮蔽装置１Ｂを示す。第２実施形態の窓遮蔽装置１Ｂは、上記第１実施形態に係る窓遮蔽装置１Ａと比較して、昇降紐用ガイド１１の構成が異なっている。
【００３５】
第２実施形態の昇降紐用ガイド１１は、金属等から成るガイド片２０を有する。ガイド片２０は、装飾部材３の凹部３ｂから室外側に突出しており、その突出した先端部に貫通孔２０ａが形成されている。この貫通孔２０ａに昇降紐６が挿通され昇降機構５へと案内される。
【００３６】
図６に示すように、ガイド片２０の貫通孔２０ａは、遮蔽材配設平面Ｚよりも室外側に配設されている。これにより、ガイド片２０における昇降紐６の吊下げ点Ｐを、遮蔽材配設平面Ｚよりも室外側に配設している。
【００３７】
また、第２実施形態において、上述した昇降紐用ガイド１１以外の構成は、上記第１実施形態の構成と同様であるので、説明を省略する。
【００３８】
図８及び図９に本発明の第３実施形態に係る窓遮蔽装置１Ｃを示す。第３実施形態の窓遮蔽装置１Ｃにおける昇降機構５は、昇降紐６を巻取可能な円柱状の巻取部材２１を複数備える。巻取部材２１は、装飾部材３の凹部３ｂ内に回転可能に配設した回転軸２２（図９参照）に付設されている。回転軸２２の一端にはプーリ２３（図８参照）が配設されており、プーリ２３の外周にボールチェーンから成る操作紐２４が懸架してある。第３実施形態は上記第１及び第２実施形態と異なり、操作紐と昇降紐を互いに別部材で構成している。
【００３９】
前記ボールチェーンを把持して周回させることにより、プーリ２３と巻取部材２１を一体的に回転させることができる。そして、ボールチェーンを一方向又はその逆方向に周回操作することにより、昇降紐６を巻取部材２１によって巻き取ったり巻き戻したりして、遮蔽材４の昇降操作を行うように構成されている。
【００４０】
第３実施形態における昇降紐用ガイド１１として、丸棒状のガイドバー２５を複数本備えている。各ガイドバー２５は、装飾部材３の凹部３ｂの開口縁に取り付けた一対の取付片２６，２７の間に水平に付設されている（図９参照）。そして、前記巻取部材２１に一端が取り付けられた昇降紐６は、ガイドバー２５から吊り下げられる。
【００４１】
図８に示すように、一対の取付片２６（２７）は、装飾部材３の凹部３ｂの開口縁から室外側に突出しており、各取付片２６（２７）の突出した先端側にガイドバー２５が取り付けられている。すなわち、ガイドバー２５は遮蔽材配設平面Ｚよりも室外側に配設されている。また、ガイドバー２５における昇降紐６の吊下げ点Ｐも遮蔽材配設平面Ｚより室外側に配設されている。
【００４２】
一方、昇降機構５のプーリ２３は、遮蔽材配設平面Ｚよりも室内側に配設されている。操作紐２４のプーリ２３における吊下げ点は、２点Ｑ１，Ｑ２あるが、どちらの吊下げ点Ｑ１，Ｑ２も遮蔽材配設平面Ｚより室内側に配設されている。このため、操作紐２４は、プーリ２３から吊り下げられた状態で、遮蔽材配設平面Ｚよりも室内側に配設される。
【００４３】
また、図８において、上記説明した箇所以外の符号であって図４と同一の符号の箇所は、図４と同様の構成であるので説明を省略する。
【００４４】
図１０及び図１１に本発明の第４実施形態に係る窓遮蔽装置１Ｄを示す。図１０において、窓枠２の上部に取り付けられた符号３４に示す部材は、昇降機構５の外装部材である。この外装部材３４は、装飾部材３としての機能も兼ねており、室内に露出した状態で配設されている。従って、外装部材３４の室内側の面には、装飾部材が別途設けられていない。また、外装部材３４の室内側の面３５ａ（図１１参照）に装飾模様を施して意匠面を形成してもよい。このように昇降機構５の外装部材３４ａと装飾部材３を一体的に構成したことによって、部品点数を少なくすることができ、製造コストの削減や装置のコンパクト化を図ることが可能である。
【００４５】
図１１に示すように、外装部材３４は長尺状本体部３５を有する。長尺状本体部３５は、例えばアルミニウム材を押出加工することによって形成される。ただし、長尺状本体部３５の素材及び加工方法はこれに限定されない。長尺状本体部３５は、少なくとも遮蔽材４の横幅に対応した長さに形成され、長尺状本体部３５の下端縁に遮蔽材４の上端縁が取り付けられている。また、長尺状本体部３５の両端の開口部には、キャップ部材（図示省略）によって閉じられている。これにより、長尺状本体部３５内に収容した巻取部材２１等が外部から見えないようになっている。
【００４６】
なお、図１０及び図１１において、図８及び図９と同一の符号は、図８及び図９と同一の部材又は同一の部位を示すので説明を省略する。
【００４７】
図１２に示すのは、本発明の第５実施形態に係る窓遮蔽装置１Ｅである。第５実施形態の窓遮蔽装置１Ｅは、昇降機構５を遮蔽材配設平面Ｚよりも室外側の窓枠２内に配設している。これにより、昇降機構５における昇降紐６の吊下げ点Ｐが、遮蔽材配設平面Ｚよりも室外側に配設される。
【００４８】
また、昇降機構５から延びる操作紐２８は、装飾部材３の凹部３ｂ内に配設された操作紐用ガイド２９を介して吊り下げられている。操作紐用ガイド２９は、遮蔽材配設平面Ｚよりも室内側に配設されている。これにより、操作紐用ガイド２９における操作紐２８の吊下げ点Ｑも、遮蔽材配設平面Ｚより室内側に配設される。
【００４９】
第５実施形態における前記操作紐用ガイド２９は、単数又は複数のガイドローラ、ガイドバー、ガイド片、あるいはこれら以外のガイド手段から構成することができる。また、操作紐２８は、昇降紐６と一体的に構成されている場合、又は昇降紐６と別部材で構成されている場合のどちらであってもよい。
【００５０】
また、図１２において、上記説明した箇所以外の符号であって図４と同一の符号の箇所は、図４と同様の構成であるので説明を省略する。
【００５１】
図１３に、本発明の第６実施形態に係る窓遮蔽装置１Ｆを示す。図１３の（ａ）は第６実施形態の窓遮蔽装置１Ｆの側面図であり、同図において右側が室外側、左側が室内側である。また、図１３の（ｂ）は前記窓遮蔽装置１Ｆを室内側から見た正面図である。
【００５２】
図１３の（ａ）に示すように、窓枠２は室内壁面３０から突出して設けられている。窓枠２の室内側の面には、遮蔽材４が密着ないし近接した状態で吊り下げてある。また、遮蔽材４の背面側であって窓枠２の内側に、遮蔽材４を昇降させるための昇降機構５が配設されている。
【００５３】
第６実施形態の窓遮蔽装置１Ｆは、上記実施形態と同様に、昇降機構５を介して遮蔽材４を昇降操作するための操作紐３１を備えている。この操作紐３１は、昇降機構５から窓枠２を貫通し、窓枠２の側面から吊り下げられて配設されている。このように、操作紐３１を、遮蔽材４を配設した平面を包含する遮蔽材配設平面（図示省略）よりも室外側に配設してもよい。ただし、この実施形態では、操作紐３１が遮蔽材４の背面側に配設されないように、図１３の（ｂ）に示す如く、室内側から見た状態で、操作紐３１を遮蔽材４と重ならない位置に（遮蔽材４の幅外に）露出して配設している。
【００５４】
また、図１４の（ａ）と（ｂ）に本発明の第７実施形態に係る窓遮蔽装置１Ｇを示す。この実施形態は、室内壁面３０から突出した窓枠２の上部に装飾部材３が付設されている。装飾部材３内には、昇降機構５が配設されており、昇降機構５からは操作紐３２が延びている。そして、操作紐３２は、昇降機構５から操作紐用ガイド３３を介して窓枠２の側外方に案内され吊り下げられている。第７実施形態の窓遮蔽装置１Ｇも、上記第６実施形態の窓遮蔽装置１Ｆと同様に、操作紐を、遮蔽材配設平面（図示省略）よりも室外側に配設している。なお、第７実施形態の窓遮蔽装置１Ｇは、操作紐３２を操作紐用ガイド３３を用いて案内することによって、第６実施形態の窓遮蔽装置１Ｆのように操作紐を窓枠を貫通させなくてもよくなる。
【００５５】
これら、第６実施形態及び第７実施形態の各窓遮蔽装置１Ｆ，１Ｇにおいて、上記説明した箇所以外の構成は、上記第１実施形態の窓遮蔽装置１Ａと同様である。また、第６・第７実施形態の窓遮蔽装置１Ｆ，１Ｇが備える操作紐として、昇降紐と一体化した操作紐、又は昇降紐と別個の部材から成る（ボールチェーン等の）操作紐のどちらも適用することができる。また、第７実施形態における操作紐用ガイド３３として、種々のガイド手段を適用可能である。
【００５６】
上記図１〜図５で説明した本発明の第１実施形態の窓遮蔽装置１Ａは、昇降機構５を遮蔽材配設平面Ｚよりも室内側に配設したことによって、操作紐６ａの吊下げ点Ｑを遮蔽材配設平面Ｚより室内側に配設している。これにより、操作紐６ａが遮蔽材配設平面Ｚよりも室内側に配設されているので、使用者は操作紐６ａを容易に把持することができる。図１５及び図１６で説明した従来の窓遮蔽装置は、操作紐が遮蔽材の背面に配設されていたため、遮蔽材をたくし上げる際には、遮蔽材の背面に手をまわして操作紐を把持しなければならず、操作しにくいものであった。これに対し、本発明の窓遮蔽装置１Ａによれば、使用者は操作紐６ａを容易に把持することができるので、遮蔽材４の昇降操作が格段に行いやすくなる。
【００５７】
また、図２などに示すように、操作紐６ａは、室内側から見た状態において、遮蔽材４と重ならない位置（遮蔽材４の幅外）に配設することが好ましい。操作紐６ａが遮蔽材４と重なる位置に配設されていると、遮蔽材４をたくし上げた際に、撓んだ遮蔽材４が操作紐６ａと干渉し、操作紐６ａの操作を行いにくくなるからである。そのため、操作紐６ａを遮蔽材４と重ならない位置に配設することによって、遮蔽材４をたくし上げた際に、撓んだ遮蔽材４が操作紐６ａと干渉するのを完全に回避することができる。これによって、より円滑な遮蔽材の昇降操作が可能となる。
【００５８】
一方、昇降紐６は遮蔽材４の室内側の面に吊り下げると見栄えが悪くなるので、遮蔽材４の背面に配設する必要がある。そのため、昇降紐用ガイド１１を介して昇降紐６を遮蔽材４の背面側へ案内している。しかも、昇降紐用ガイド１１における昇降紐６の吊下げ点Ｐを遮蔽材配設平面Ｚよりも室外側に配設したことによって、昇降紐６に室外方向の力を作用させ、遮蔽材４を窓枠２に確実に密着させることが可能である。これにより、遮光性や室内の保温性等の向上を図ることができる。
【００５９】
また、図６及び図７に示す第２実施形態、図８及び図９に示す第３実施形態、図１０及び図１１に示す第４実施形態に係る各窓遮蔽装置においても、上記第１実施形態に係る窓遮蔽装置１Ａと同様の作用・効果を奏することができる。
【００６０】
また、図１２に示す第５実施形態の窓遮蔽装置１Ｅは、上記第１実施形態の窓遮蔽装置１Ａと異なり、昇降機構５を遮蔽材配設平面Ｚよりも室外側の窓枠２内に配設している。このように昇降機構５を窓枠２内に配設したことによって、窓枠２から室内側に突出する部材が少なくなり、装飾部材３のコンパクト化を図り得る。これにより、室内が広くなると共に見栄えが良くなる。また、昇降機構５における昇降紐６の吊下げ点Ｐを遮蔽材配設平面Ｚより室外側へ配設したことにより、上記と同様に、昇降紐６に室外方向の力を作用させ、遮蔽材４を窓枠２に確実に密着させることが可能となる。一方、操作紐２８は、操作紐用ガイド２９によって遮蔽材配設平面Ｚよりも室内側に案内され吊り下げられているため、上記と同様に、使用者は操作紐２８を容易に把持して遮蔽材４の昇降操作を行うことが可能である。
【００６１】
また、図１３に示す第６実施形態、及び図１４に示す第７実施形態に係る各窓遮蔽装置においても、操作紐が室内側に露出しているので、使用者は操作紐を容易に把持することができ、遮蔽材の昇降操作を行いやすくなる。
【００６２】
また、例えば図１６に示す従来の窓遮蔽装置において、遮蔽材３００の背面に配設した３本の昇降紐４００のうち、遮蔽材３００の両側の縦縁寄りに配設した２本の昇降紐４００は、遮蔽材３００の各縦縁に近接した位置に配設することが望ましい。昇降紐４００を遮蔽材３００の縦縁から離れた位置に配設すると、遮蔽材３００をたくし上げたときに、遮蔽材３００の縦縁付近にシワができて見栄えが悪くなるからである。
【００６３】
図１６に示す窓遮蔽装置において、３本の昇降紐４００のうち、左側に配設した昇降紐４００を、図の左方向に移動させて遮蔽材３００の縦縁に接近した位置に吊り下げた場合、昇降機構（ストッパ）６００は、昇降紐４００を吊り下げるガイド機構７００に干渉しない位置に配設しなければならない。例えば、昇降機構６００を、遮蔽材３００の左側の縦縁の延長線よりも左側の位置に配設することによって、ガイド機構７００との干渉を回避することができる。しかし、従来の窓遮蔽装置は、操作紐９００を遮蔽材３００の背面側に配設する構造であるため、昇降機構６００だけを遮蔽材３００の縦縁の延長線よりも左側に配設するのは困難である。
【００６４】
これに対し、本発明の窓遮蔽装置は、操作紐を遮蔽材よりも室内側又は遮蔽材の幅外に配設するように構成されている。このため、昇降機構（ストッパ）も遮蔽材より室内側又は遮蔽材の幅外に配設することができる（図示省略）。従って、昇降紐を遮蔽材の縦縁に近接した位置に配設しても、昇降機構を昇降紐のガイド機構等と干渉しない位置に配設することが可能である。これにより、本発明の窓遮蔽装置は、大幅な設計変更を伴わずに昇降紐を遮蔽材の縦縁に近接させる構造を採用することができ、遮蔽材をたくし上げる際に遮蔽材にシワができるのを防止して見栄えを良くすることが可能である。
【００６５】
以上、本発明の一実施形態について説明したが、本発明は上述の実施形態に限定されるものではなく、本発明の要旨を逸脱しない範囲で、種々の変更を加え得ることは勿論である。
【図面の簡単な説明】
【００６６】
【図１】本発明の第１実施形態に係る窓遮蔽装置の断面側面図である。
【図２】前記第１実施形態の正面図である。
【図３】前記第１実施形態の背面図である。
【図４】前記第１実施形態の上部を示す断面側面図である。
【図５】前記第１実施形態の要部を拡大した斜視図である。
【図６】本発明の第２実施形態に係る窓遮蔽装置の上部を示す断面側面図である。
【図７】前記第２実施形態の要部を拡大した斜視図である。
【図８】本発明の第３実施形態に係る窓遮蔽装置の上部を示す断面側面図である。
【図９】前記第３実施形態の要部を拡大した斜視図である。
【図１０】本発明の第４実施形態に係る窓遮蔽装置の上部を示す断面側面図である。
【図１１】前記第４実施形態の要部を拡大した斜視図である。
【図１２】本発明の第５実施形態に係る窓遮蔽装置の上部を示す断面側面図である。
【図１３】本発明の第６実施形態に係る窓遮蔽装置を示す図であって、（ａ）はその側面図、（ｂ）はその正面図である。
【図１４】本発明の第７実施形態に係る窓遮蔽装置を示す図であって、（ａ）はその側面図、（ｂ）はその正面図である。
【図１５】従来の窓遮蔽装置の断面側面図である。
【図１６】前記従来の窓遮蔽装置の背面図である。
【符号の説明】
【００６７】
１Ａ〜１Ｇ  窓遮蔽装置
２    窓枠
４    遮蔽材
５    昇降機構
６    昇降紐
６ａ  操作紐
１１  昇降紐用ガイド
１４  ガイドローラ
１５  ガイドローラ
２４  操作紐
２８  操作紐
２９  操作紐用ガイド
３０  室内壁面
３１  操作紐
３２  操作紐
３３  操作紐用ガイド
Ｐ    吊下げ点
Ｑ    吊下げ点
Ｑ１，Ｑ２  吊下げ点
Ｚ    遮蔽材配設平面
【図１】
2010000232.tif 000003
【図２】
2010000232.tif 000004
【図３】
2010000232.tif 000005
【図４】
2010000232.tif 000006
【図５】
2010000232.tif 000007
【図６】
2010000232.tif 000008
【図７】
2010000232.tif 000009
【図８】
2010000232.tif 000010
【図９】
2010000232.tif 000011
【図１０】
2010000232.tif 000012
【図１１】
2010000232.tif 000013
【図１２】
2010000232.tif 000014
【図１３】
2010000232.tif 000015
【図１４】
2010000232.tif 000016
【図１５】
2010000232.tif 000017
【図１６】
2010000232.tif 000018